(57)【要約】【課題】国際化ドメインメールアドレスを、国際化ドメインに対応していないクライアントアプリケーション上で擬似的に使用する。【解決手段】ＷＥＢ上のメール作成画面にて作成され（Ｓ１００）、ＨＴＴＰを通して送信された（Ｓ１０１）メールは、データベース１１ａ内のメールボックスに保存され（Ｓ１０３，Ｓ１１２）、携帯電話によるメール送受信ならば、データベース１１ａから送信先である受信者の携帯電話へＳＭＴＰを通してメールを転送する（Ｓ１０５）。ＰＯＰ３を通して携帯電話でメールを受信した受信者は（Ｓ１０６）、メールを返信するならば（Ｓ１０８：ｙｅｓ）返信用ＵＲＬをクリックして（Ｓ１０９）携帯端末用メール送信ページに移動し（Ｓ１１０）、メールを作成する（Ｓ１１１）。なお、パソコンでのメール送受信（Ｓ１１２〜Ｓ１１６）は、同様の手順をＨＴＴＰを通して行う。【選択図】図４
2004326202.tif 000002
【特許請求の範囲】
【請求項１】
会員のパーソナルコンピュータ又は携帯電話への操作により、該会員の少なくとも識別記号、パスワード、メールアドレス、及び携帯電話番号を含む情報を記憶するデータベースを備えた記憶装置と、
該記憶装置に接続され、前記パーソナルコンピュータ及び前記携帯電話とネットワークを介して通信可能に設定され、前記会員のパーソナルコンピュータ又は携帯電話への操作により、前記会員間の前記パーソナルコンピュータ又は前記携帯電話でのメッセージの送受信をするサーバーを備え、
前記会員の前記メールアドレスとして国際化ドメインが使用可能であることを特徴とした通信装置。
【請求項２】
前記会員間の前記パーソナルコンピュータ又は前記携帯電話への操作による、
前記パーソナルコンピュータとのメールの送受信において、
前記パーソナルコンピュータ又は前記携帯電話からのメールはＨＴＴＰを通して前記記憶装置の前記データベースに送信され、
前記データベースからＨＴＴＰを通して前記パーソナルコンピュータへとメールを受信することで、
擬似的に前記国際化ドメインを使用可能とすることを特徴とした請求項１に記載の通信装置。
【請求項３】
前記会員間の前記パーソナルコンピュータ又は前記携帯電話への操作による、
前記携帯電話とのメールの送受信において、
前記パーソナルコンピュータ又は前記携帯電話からのメールはＨＴＴＰを通して前記記憶装置の前記データベースに送信され、
前記データベースからＳＭＴＰを通して前記携帯電話のメールサーバーへと送信され、
該メールサーバーからＰＯＰ３を通して前記携帯電話へとメールを受信することで、
擬似的に前記国際化ドメインを使用可能とすることを特徴とした請求項１に記載の通信装置。
【請求項４】
前記会員間の前記パーソナルコンピュータ又は前記携帯電話への操作による、
前記パーソナルコンピュータ又前記携帯電話とのメールの送受信において、
前記会員間の親密度を示す表示を、
前記会員間のメールの交信頻度に応じて増減することを特徴とした請求項１乃至３に記載の通信装置。
【発明の詳細な説明】
【０００１】
【産業上の利用分野】
本発明はインターネット上でのメールの送受信において国際化ドメインを使用する通信装置に関する。
【０００２】
【従来の技術】
従来、インターネット上で用いられるメールアドレスやＵＲＬ（Ｕｎｉｆｏｒｍ  Ｒｅｓｏｕｒｃｅ  Ｌｏｃａｔｏｒ）には英文字列が使用されているが、英文字列から構成されているメールアドレスやＵＲＬは覚えにくく、またＵＲＬを一目見ただけではＷＥＢサイトの内容が分りにくい等という問題点がある。
理論的には、インターネット上のメールアドレスやＵＲＬに、平仮名、片仮名、漢字、ハングル文字といったマルチバイト文字を使用することができる国際化ドメインを使用することで、日本語文字列から構成されたメールアドレス、ＵＲＬを利用することが可能である。
【０００３】
特許文献について、本発明は近年開発された国際化ドメインに関する発明であり、国際化ドメインを使用したメールの送受信に関するものであるため、記載すべき文献公知発明は認められなかった。
【０００４】
【発明が解決しようとする課題】
しかしながら、実際に国際化ドメインを使用するためにはクライアントアプリケーション（例えばブラウザ、電子メールソフト）が国際化ドメインに対応していなければ利用することはできず、国際化ドメインに対応していないクライアントアプリケーションが予めインストールされ、容易に変更、更新することのできない携帯電話の電子メール機能においては、国際化ドメインの普及が大幅に遅れる可能性が高い。
【０００５】
本発明はこのような背景技術に存在する問題点を解消したものであり、国際化ドメインをクライアントアプリケーションに関係なく、擬似的に使用することを可能とし、日本語文字列を用いることによって内容を明確に連想させることのできるメールアドレスを提供し、また国際化ドメインの普及が大幅に遅れる可能性のある携帯電話においても国際化ドメインメールアドレスを擬似的に使用できるように提供することを目的とする。
【０００６】
【課題を解決するための手段】
上記に鑑み、請求項１に記載の発明は、会員のパーソナルコンピュータ又は携帯電話への操作により、該会員の少なくとも識別記号、パスワード、メールアドレス、及び携帯電話番号を含む情報を記憶するデータベースを備えた記憶装置と、該記憶装置に接続され、前記パーソナルコンピュータ及び前記携帯電話とネットワークを介して通信可能に設定され、前記会員のパーソナルコンピュータ又は携帯電話への操作により、前記会員間の前記パーソナルコンピュータ又は前記携帯電話でのメッセージの送受信をするサーバーを備える通信装置において、前記会員の前記メールアドレスとして国際化ドメインが使用可能であることを特徴とした通信装置である。
パーソナルコンピュータ（以下パソコンと略す）又は携帯電話を使用して、ＷＷＷ（Ｗｏｒｌｄ  Ｗｉｄｅ  Ｗｅｂ）と呼ばれる通信プロトコル、すなわち、インターネットなどの通信ネットワーク上で通信を行う際に、ＵＲＬやメールアドレスに国際化ドメインを利用することで、日本語文字列のＵＲＬやメールアドレスを提供することが可能となる。そのため、ＵＲＬやメールアドレスを覚えやすいという効果があり、また利用者がＵＲＬ等を見ただけで、ＷＥＢサイトの内容をイメージしやすくなる効果がある。
このとき国際化ドメインとは、従来のアルファベットによるドメイン名の表記とは別に、日本語においては片仮名、平仮名、漢字、韓国語においてはハングル文字等のマルチバイト文字によって、ＵＲＬ、メールアドレスを表記したことを特徴とするドメイン名である。
【０００７】
また、請求項２に記載の発明は、前記会員間の前記パーソナルコンピュータ又は前記携帯電話への操作による、前記パーソナルコンピュータとのメールの送受信において、前記パーソナルコンピュータ又は前記携帯電話からのメールはＨＴＴＰを通して前記記憶装置の前記データベースに送信され、前記データベースからＨＴＴＰを通して前記パーソナルコンピュータへとメールを受信することで、擬似的に前記国際化ドメインを使用可能とすることを特徴とした請求項１に記載の通信装置である。
このとき、ＨＴＴＰ（ＨｙｐｅｒＴｅｘｔ  Ｔｒａｎｓｆｅｒ  Ｐｒｏｔｏｃｏｌ）とは、ＨＴＭＬ（ＨｙｐｅｒＴｅｘｔ  Ｍａｒｋｕｐ  Ｌａｎｇｕａｇｅ）ファイルの送受信を行うための通信プロトコルである。
パソコン又は携帯電話からＨＴＴＰを通してＨＴＭＬファイルとして送信されたメールは、データベースに送信、記憶され、相手側のパソコン又は携帯電話から、ＨＴＴＰを通してＨＴＭＬファイルとしてメールを受信している。そのため、従来メールの送受信に使用される通信プロトコルであるＳＭＴＰ（Ｓｉｍｐｌｅ  Ｍａｉｌ  Ｔｒａｎｓｆｅｒ  Ｐｒｏｔｏｃｏｌ）及びＰＯＰ（Ｐｏｓｔ  Ｏｆｆｉｃｅ  Ｐｒｏｔｏｃｏｌ）３等を利用することなくメールの送受信を行うことが可能であり、またＳＭＴＰ及びＰＯＰ３を利用することなく、擬似的に国際化ドメインを使用することが可能である。
【０００８】
また、請求項３に記載の発明は、前記会員間の前記パーソナルコンピュータ又は前記携帯電話への操作による、前記携帯電話とのメールの送受信において、前記パーソナルコンピュータ又は前記携帯電話からのメールはＨＴＴＰを通して前記記憶装置の前記データベースに送信され、前記データベースからＳＭＴＰを通して前記携帯電話のメールサーバーへと送信され、該メールサーバーからＰＯＰ３を通して前記携帯電話へとメールを受信することで、擬似的に前記国際化ドメインを使用可能とすることを特徴とした請求項１に記載の通信装置である。
このとき、ＳＭＴＰとはメールの送信を行うための通信プロトコルである。また、ＰＯＰ３とはメールの受信を行うための通信プロトコルである。
パソコン又は携帯電話からＨＴＴＰを通してＨＴＭＬファイルとして送信されたメールは、データベースに送信、記憶される。ここで、データベースからＳＭＴＰを通してメールを送信先の相手の携帯電話のメールサーバーに送信し、メールサーバーからＰＯＰ３を通して送信先の相手の携帯電話にメールを受信することによって、内部的にはＳＭＴＰ及びＰＯＰ３を利用しているが、メールの送受信を行う会員には国際化ドメインを利用しているように見えるという効果を発揮する。また、ＨＴＴＰによるメールの受信及びＳＭＴＰによるメールの送信はデータベースで行っているため、送信するパソコン又は携帯電話の機種、及び受信する携帯電話の機種に関係なく、擬似的に国際化ドメインを利用したメールの送受信を行うことが可能である。
【０００９】
また請求項４に記載の発明は、前記会員間の前記パーソナルコンピュータ又は前記携帯電話への操作による、前記パーソナルコンピュータ又前記携帯電話とのメールの送受信において、前記会員間の親密度を示す表示を、前記会員間のメールの交信頻度に応じて増減することを特徴とした請求項１乃至３に記載の通信装置である。
会員間のメールの送受信は、請求項１乃至３に示すようにデータベースを介して行われている。そのため、データベース上では会員間のメールの送受信回数を記憶することが可能であり、記憶されたメールの交信頻度を会員間の親密度として処理することが可能である。データベース上で処理された親密度は、会員に理解しやすいように画面上に表示される（例えば、画面上にハート型のアイテムが表示される。）。また、親密度の増減に応じて、画面上の表示も変化し（例えば、親密度が増加したならばハート型のアイテムの大きさが大きくなる。）、会員に親密度の変化を報知する。
会員間のメールの送受信による交信頻度に応じて親密度が増減し、画面表示によって会員は親密度の増減を知ることができるので、会員間のメールの送受信による交信を促進する効果を発揮する。
【００１０】
【発明の実施の形態】
次に、本発明に係る好適な実施形態を挙げ、図面を参照して詳細に説明する。
まず、通信装置１のシステム構成について、図１及び図２を参照して説明する。
図１は本発明実施形態の通信装置１のシステム構成を示し、会員である男性の携帯電話２、男性のパーソナルコンピュータ３（以下パソコンと略す）、女性の携帯電話４、女性のパソコン５と、この携帯電話２，４の基地局６、基地局６と通信可能な移動通信網７と、インターネットで代表されるパソコン３，５から接続可能なネットワーク８と、ネットワーク８と移動通信網７とを接続するゲートウェイ装置９と、ネットワーク８と接続されるウェブサーバー１０と、ウェブサーバー１０に接続された、データベース１１ａを記憶した記憶装置１１が接続される。この記憶装置１１は会員で表示するＨＴＭＬファイルおよび他の情報、たとえば、イメージ、音声、テキスト、プログラム等のファイルを記憶するハードディスクのような装置である。
【００１１】
携帯電話２，４及びパソコン３，５はネットワーク８を介してウェブサーバー１０と通信を行うためのプログラムが予めインストールされているものである。このプログラムは、ＷＷＷと呼ばれる通信プロトコル、すなわち、インターネットなどの通信ネットワークで使用されている通信プロトコルで通信を行うものである。
会員側は、携帯電話２，４或いはパソコン３，５を介して、ウェブサーバー１０とアクセスすることで、性別、ニックネーム（ユーザＩＤとも呼ばれる）とパスワードと携帯電話番号とメールアドレスなどのプロフィール情報をウェブサーバー１０に提供し、ウェブサーバー１０にアクセスするときに、ニックネームおよびパスワードを使用する。会員は直接ネットワーク８に接続してもよいし、プロバイダと呼ばれる接続業者のゲートウェイを介してネットワーク８に接続してもよい。
【００１２】
このデータベース１１ａは、会員の男女別に登録した情報を保有している。その情報にはデータベース１１ａに登録された日付情報が付加されている。また、前述した会員に関する性別、ニックネーム（ユーザＩＤ或いは識別記号とも呼ばれる）とパスワードと携帯電話番号とメールアドレスなどの情報が、ウェブサーバー１０内にデータベース１１ａの形態で蓄積されている。
【００１３】
次にＨＴＭＬファイルについて説明する。ＨＴＭＬファイルには表示したい文字列を記載するとともに、表示したいイメージのディレクトリ（記憶場所）名、実行させたいプログラムのディレクトリ名、文字列、イメージの書式、たとえば、フォントサイズ、イメージの表示位置、大きさ等を記載する。このＨＴＭＬファイルはブラウザなどと呼ばれるプログラムにより上記書式が解析され、ブラウザを実行するコンピュータにおいて、書式に合致する表示用のイメージが合成されて、その合成イメージが表示される。このときＨＴＭＬによる合成イメージがサーバー上に記憶され、誰にでも閲覧可能となっているものが所謂ＷＥＢサイトである。
【００１４】
図２を参照して国際化ドメインを利用した電子メールコミュニティーサイトの構成について説明する。まず、ネットワーク８を介して会員登録を行う（図６（ａ）参照）。このとき、会員登録は男女ペアでなければならず、同時に会員登録を行うことが好ましい。会員登録において入力された情報は記憶装置１１内のデータベース１１ａに記憶され、会員登録を行った男女ペアには、登録した男女夫々のＩＤを含む日本語文字列からなる国際化ドメインメールアドレスが発行される（図では「○○＠○○．らぶらぶ．ｊｐ」である。このとき、「○○」に会員登録した彼氏の名前又は彼女の名前が入る。）。会員登録後、男女ペアは国際化ドメインメールアドレスを使用してメールの送受信を行うことができる。図２における白い矢印Ｘ１、Ｘ２は女性から男性へとメールを送信した場合であり、黒い矢印Ｙ１，Ｙ２は男性から女性へとメールを送信した場合である。いずれもデータベース１１ａを経由してメールの送受信を行っている。携帯電話２，４でメールを送受信する場合には、まず、送信したいメッセージをＨＴＴＰを用いたＷＥＢサイトからデータベース１１ａへ登録し（矢印Ｘ１，Ｙ１）、データベース１１ａからＳＭＴＰ、ＰＯＰ３等を用いた携帯電話のメール機能によってメッセージを送信（矢印Ｘ２，Ｙ２）することで、ウェブサーバー１０内部で擬似的に国際化ドメインメールアドレスを使用している。
【００１５】
図３〜図５のフローチャートを参照してウェブサーバー１０内部で実行される処理について説明する。なお、以下ステップ数は単にＳと略記する。
【００１６】
図３を参照して会員登録処理について説明する。メンバー登録画面（図６（ａ）参照）が表示されて会員登録処理が開始される。まず会員登録希望者がメンバー登録資格を有するか否か（即ち、男女ペアであるか否か）がチェックされ（Ｓ１０）、男女ペアでなければ（Ｓ２０：ｎｏ）、Ｓ１０に戻り、前記Ｓ１０の処理を繰り返し、男女ペアであれば（Ｓ２０：ｙｅｓ）、メンバー登録画面が表示され、メンバー登録画面に示される各項目の空欄に情報を入力し、画面右下の登録ボタンをクリックすることで入力した情報がサーバーに送信され（Ｓ３０）、サーバーは入力した情報から会員登録希望者が登録資格を有しているか否かをチェックする（Ｓ４０）。このとき、ステップＳ３０のメンバー登録画面において、項目の入力漏れなどがある場合等には（Ｓ４０：ｎｏ）、Ｓ３０に戻り、前記Ｓ３０の処理を繰り返す。メンバー登録画面の各項目について適切な入力ができた場合には（Ｓ４０：ｙｅｓ）、メンバー登録画面で入力した情報がサーバーに送られ、データベース１１ａ内に記憶する会員登録処理が行われ（Ｓ５０）、登録希望者の名前を含む、日本語の国際化ドメインメールアドレスが発行され（Ｓ６０）、以後発行された国際化ドメインメールアドレスを用いてメールの送受信を行うことが可能となる。
本実施例において、会員登録は男女ペアで行う必要があり、また会員登録の際に発行された国際化ドメインメールアドレスを使用してのメールの送受信は会員登録を行った男女ペアの間でのみ行うことが可能である。このとき、メールのメッセージを作成して送信する側を送信者とし、メールを受信してメッセージを閲覧する側を受信者とする。
【００１７】
図４を参照してメール送受信処理について説明する。
会員間のメールを送受信するためには、まず会員登録処理にて発行された国際化ドメインメールアドレスを使用するための会員制のサイトにログインする必要がある（図６（ａ）参照）。ログイン画面にてＩＤとパスワードを入力することでメール作成画面（図７（ａ）（ｂ）参照）に移動することができる。
【００１８】
まず、ステップＳ１００において送信者はメールとして送信するメッセージを作成し（図７（ａ）参照）、送信先切替釦３３にてメールの送信先が携帯電話であるかパソコンであるかを選択する（Ｓ１０１）。送信先が携帯電話であるならば（Ｓ１０２：携帯）、送信されたメールをデータベース１１ａ内のメールボックスに保存し（Ｓ１０３）、送受信ポイント加算処理を行い、ポイント加算処理に伴ってメール送信画面に表示されているアイテム３４（図７（ａ）（ｂ）参照）の大きさを大きくし（Ｓ１０４）、データベース１１ａから受信者の携帯電話へとＳＭＴＰを通してメールを転送する（Ｓ１０５）。Ｓ１０６にてＰＯＰ３を通して携帯電話にメールを受信した受信者は（図８（ｂ）参照）、携帯電話のメール機能で受信したメールを表示し（Ｓ１０７）（図９（ｂ）参照）、受信者はメッセージを閲覧し、送信者に対してメールを返信するか否かを判断し（Ｓ１０８）、メールを返信するならば（Ｓ１０８：ｙｅｓ）、図９（ｂ）に示される、返信用のＵＲＬ５２ａをクリックして（Ｓ１０９）携帯端末用メール送信ページへと移動して（Ｓ１１０）（図７（ｂ）参照）、メールを作成し（Ｓ１１１）、Ｓ１０１に戻って送信先を選択する。
Ｓ１０２において送信先がパソコンであるならば（Ｓ１０２：パソコン）、送信されたメールをデータベース１１ａ内のメールボックスに保存し（Ｓ１１２）、送受信ポイント加算処理を行い、ポイント加算処理に伴ってメール送信画面に表示されているアイテム３４（図７（ａ）参照）の大きさを大きくし（Ｓ１１３）、図８（ａ）に示すように受信者にメールを受信したことを通知し（Ｓ１１４）、受信者のパソコンにメールを表示する（Ｓ１１６）（図９（ａ）参照）。受信者はメールを返信するか否かを判断し（Ｓ１１７）、メールを返信するならば（Ｓ１１７：ｙｅｓ）、図９（ａ）に示すメール表示画面内の返信ボタン５１をクリックし（Ｓ１１８）、パソコン用のメール送信画面（図７（ａ）参照）へと移行し（Ｓ１１９）、メールを作成し（Ｓ１２０）、Ｓ１０１に戻って送信先を選択する。
なお、ステップＳ１０８、ステップＳ１１７において、メールを返信しなかった場合（Ｓ１０８：ｎｏ、Ｓ１１７：ｎｏ）、送受信ポイント減算処理を行い、ポイント減算処理に伴ってメール表示画面に表示されているアイテム３４（図９（ａ）参照）の大きさを小さくする（Ｓ１２１）。
メール送受信処理において、パソコンでのメール送受信（Ｓ１１２〜Ｓ１２０）はすべてＨＴＴＰを通して行われているが、携帯電話でのメール送受信（Ｓ１０３〜Ｓ１１１）は、Ｓ１０５においてはＳＭＴＰを通して携帯電話へメールを転送し、Ｓ１０６ではＰＯＰ３を通して携帯電話にメールを受信し、Ｓ１０７では携帯電話のメール機能でメールを表示している。Ｓ１０５〜Ｓ１０７を除くステップにおいてはＨＴＴＰによって送受信されている。
このときポイントとは、会員登録を行った男女ペア夫々についてサーバー１０に記憶されているもので、男女ペア間でメールの送受信が行われると加算され、男女間でメールの送受信が行われないと減算される。これらの加減算処理はサーバー１０内で行われており、会員には直接ポイントの数字が表示されることはなく、ポインの大小については、メール送画面（図７（ａ）（ｂ）参照）、メール表示画面（図９（ａ）（ｂ）参照）に表示されるアイテム３４の変化によって会員が判断することができる。ポイントの値は図５に示すドメインアップグレード処理、及びドメインダウングレード処理において、サーバー１０がアップグレード及びダウングレードを行う際の判断基準となる。
【００１９】
図５を参照して送受信ポイントチェック処理について説明する。まずステップＳ２００において、男女ペアが夫々有する、メールの送受信によって加減算されたポイントの数を集計する（Ｓ２００）。そして集計の結果、アップグレード対象であるか、ダウングレード対象であるかをチェックする。アップグレード対象であるならば（Ｓ２１０：アップグレード）、図１０（ａ）に示すように「らぶらぶ．ｊｐ」から「結婚したい．ｊｐ」へとドメイン名がアップグレードし（Ｓ２２０）、ステップＳ２００に戻って、従来と同じく送受信ポイント計算処理が行われる。ステップＳ２１０において、ダウングレード対象であるならば（Ｓ２１０：ダウングレード）、図１０（ｂ）に示すように「らぶらぶ．ｊｐ」から「別れたい．ｊｐ」へとドメイン名がダウングレードし、このとき会員が男女ペア解散を希望しているか否か判断する（Ｓ２４０）。男女ペア解散を希望していないならば（Ｓ２４０：ｎｏ）ステップＳ２００に戻り、従来と同じく送受信ポイント計算処理が行われる。男女ペア解散を希望しているならば（Ｓ２４０：ｙｅｓ）、男女ペアは解散となり、男女ペアではないとき専用のドメインにダウングレードする（例えば「すき．ｊｐ」「願い事．ｊｐ」等）（Ｓ２５０）。そして、男女ペアとなる相手が見つかった場合には図１１に示す、「らぶらぶ．ｊｐメンバー再登録画面」において、再度「らぶらぶ．ｊｐ」に登録することが可能となり（Ｓ２６０）、新たな相手との国際化ドメインメールアドレスとして、「らぶらぶ．ｊｐ」の初期状態へとリセットされる（Ｓ２７０）。
【００２０】
図６〜図１２を参照して、本実施例における国際化ドメインメールアドレスを利用した電子メールコミュニティサイトの使用例について説明する。
【００２１】
図６（ａ）は会員登録画面であり、画面上には「男女ペアで登録してください。」との表示がなされ、彼氏の名前入力欄２１ａ、彼女の名前入力欄２２ａが表示され、同様に夫々のＩＤ入力欄２１ｂ，２２ｂ、パスワード入力欄２１ｃ，２２ｃ、携帯電話メールアドレス入力欄２１ｄ，２２ｄが表示される。会員登録希望者の男女ペアは、各入力欄に適切な情報を入力し、画面右下にある登録釦２３をクリックすることで、入力した情報をサーバーに送信することができ、入力した情報が会員登録資格を満たしていれば（即ち男女ペアによる登録であれば）、サーバーからデータベースに登録され、彼女の名前及び彼氏の名前を含む日本語文字列による国際化ドメインメールアドレスが発行される。このとき、男女ペアが同時に会員登録することが望ましいが、お互いが離れた場所にいて同時に登録できない場合等には、まず彼氏が登録して彼女の登録を待ち、その後彼女が登録を行うことも可能である。会員登録画面はＨＴＴＰを通して表示される所謂ＷＥＢサイトであり、会員登録画面にて入力された情報はＨＴＴＰを通してデータベース１１ａに送信され、データベース１１ａに記憶される。
【００２２】
図６（ｂ）はログイン画面であり、図６（ａ）にて発行された国際化ドメインメールアドレスを使用するための会員サイトに入るための認証を行っている。画面上には「ＩＤとパスワードを入力してログインしてください。」と表示がなされ、ＩＤとパスワード入力欄が表示される。このとき、ログインするのが彼氏であれば、図６（ａ）にて入力したＩＤ２１ｂ及びパスワード２１ｃを入力し、彼女であればＩＤ２２ｂ及びパスワード２２ｃを入力し、画面下方のログイン釦２４をクリックすることでログインすることが可能である。このとき、ログインをしないのであれば、ログイン釦２４右隣のキャンセル釦２５をクリックすることでログインを中止することが可能である。なおログインした後には、メール受信画面（図８参照）へと移行し、メール受信画面からメール送信画面（図７参照）へと移行する。メール受信画面に移行した際には、受信したメールを表示（図９参照）し、閲覧を行うことが可能である。このとき、ログイン画面からメール送信画面へと直接移動することも可能であるが、そのためにはメール送信画面のＵＲＬを入力する必要がある。また、ログイン画面にてログインを行う前にメール送信画面のＵＲＬを入力してメール送信画面に移行しようとすると、まずログイン画面が表示され、ログイン画面にてログインを行うとメール送信画面に移行する。同様にログインを行う前にメール受信画面のＵＲＬを入力してメール受信画面に移行しようとすると、まずログイン画面が表示され、ログイン画面にてログインを行うと受信画面に移行する。
【００２３】
図７（ａ）（ｂ）はメール送信画面であり、図７（ａ）はパソコンのメール送信画面、図７（ｂ）は携帯電話のメール送信画面である。画面上方には送信元であるＦｒｏｍ及び送信先であるｔｏからなる宛名３１が表示される。本実施例においては図６（ａ）にて発行された国際化ドメインメールアドレスは、登録した男女ペア同士の間でのみメールの送受信が可能である。そのため宛名３１は入力欄が設けられず、Ｆｒｏｍにはログインした会員のメールアドレス（図では「花子＠太郎．らぶらぶ．ｊｐ」）、ｔｏにはログインした会員の相手のメールアドレス（図では「太郎＠花子．らぶらぶ．ｊｐ」）が表示される。宛名３１の下方には件名入力欄３２が設けられる。件名入力欄３２の右隣には送信先切替釦３３が設けられ、「携帯に送信」或いは「パソコンに送信」をクリックすることによって、黒丸状のチェックマークが移動する（図では「パソコンに送信」）。送信先切替釦３３の右隣にはハート型のアイテム３４が設けられている。アイテム３４は、男女ペアがメールを送受信する度に加減算されるポイントの増減に伴って変化する。例えば大きさが変化する、色が変化する等である。図７（ａ）の概ね中央の位置から下方へはメッセージ入力欄３５が設けられており、ここで入力された文章が相手へと送信され、表示されることとなる（図では「明日、空いてる？」）。前記件名入力欄３２、送信先切替釦３３、メッセージ入力欄３５へと入力し、画面下方の送信釦３６をクリックすることによってメールを相手（太郎＠花子．らぶらぶ．ｊｐ）に送信することができる。このとき、メールが送信される端末は、送信先切替釦３３にてチェックされている端末である（図ではパソコンに送信される）。図７（ｂ）は携帯電話の送信画面であり、図７（ａ）と同様の要素から構成されているが、パソコンに対して画面が横方向に狭いため、アイテム３４及びメッセージ入力欄３５がパソコンでの表示よりも小さくなっている。その他の点についてはパソコンと概ね同様であり、図７（ａ）の図面番号にａを付して援用している。メール送信画面は図７（ａ）（ｂ）ともにＨＴＴＰを通して送受信されている所謂ＷＥＢサイトであり、図７（ａ）（ｂ）のメール送信画面で作成、送信されたメッセージは、ＨＴＴＰを通してデータベース１１ａに送信され、データベース１１ａに記憶される。
【００２４】
図８（ａ）（ｂ）はメール受信画面であり、図８（ａ）はパソコンのメール受信画面、図８（ｂ）は携帯電話のメール受信画面である。画面上端から概ね２／３の範囲に左から日付一覧４０、差出人一覧４１、件名一覧４２が表示されており、日付の新しいメールから降順に一覧表示されている。画面下方の概ね１／３の範囲の左側には、「１通の新しいメールが届いています。」との新着メール通知４３が表示され、新しいメールが到着していることを会員に通知し、会員は新着メール通知４３の左隣にある受信釦４４をクリックすることで、メールを受信し、図９に示すメール表示画面に移行して閲覧することができる。なお、図８（ａ）はＨＴＴＰを通して送受信される所謂ＷＥＢサイトであり、受信したメールはデータベース１１ａからＨＴＴＰを通して受信者に受信される。図８（ｂ）は携帯電話の受信画面であるが、携帯電話によるメールの受信は携帯電話のメール機能を使用しているため（図４Ｓ１０６）、図８（ｂ）に示すメール受信画面に限定されず、携帯電話の機種ごとに異なる。また携帯電話によるメールの受信は、データベース１１ａからＳＭＴＰを通して送信されたメールを、ＰＯＰ３を通して受信することで行っている。
【００２５】
図９（ａ）（ｂ）はメール表示画面であり、図９（ａ）はパソコンのメール表示画面、図９（ｂ）は携帯電話のメール表示画面である。画面上方左側に宛名３１が表示され、その下方に件名３２が表示され（図では「明日の予定」）、その下方にメッセージ本文５０が表示される（図では「明日、空いてる？」。画面の上方右側にはアイテム３４が表示され、画面の下方中央には返信釦５１が設けられている。会員は返信釦５１をクリックすることで、図７（ａ）に示すメール作成画面に移行し、返信用のメッセージの作成、送信を行うことができる。図９（ｂ）は携帯電話用のメール表示画面であり、図９（ａ）と同様の要素から構成されているが、パソコンに対して画面が横方向に狭いため、宛名３１、件名３２、アイテム３４の表示が省略されている。また、返信釦５１についても、パソコンと携帯電話では国際化ドメインメールを送信する方法が異なるので、図９（ｂ）の下方には、返信メール作成画面へと移行するＵＲＬ５２ａが表示され、会員はＵＲＬ５２ａをクリックすることで、返信用メール作成画面へと移行し、返信することが可能となる。なお、図９（ｂ）は図８（ｂ）と同様に携帯電話のメール表示機能を使用している。そのため、図９（ｂ）のメール表示画面についても、携帯電話の機種ごとに異なる。
【００２６】
図１０（ａ）は国際化ドメインアップグレード画面であり、画面上方に「結婚したい．ｊｐにアップグレードしました」とのドメインアップグレード通知６０がなされ、それに伴い宛名３１に示された国際化ドメインメールアドレスも、「らぶらぶ．ｊｐ」から「結婚したい．ｊｐ」へと変化している。図１０（ｂ）はダウングレード画面であり、画面上方に「別れたい．ｊｐになってしまいました。」とのドメインダウングレード通知６１がなされ、それに伴い宛名３１に示された国際化ドメインメールアドレスも、「らぶらぶ．ｊｐ」から「別れたい．ｊｐ」へと変化している。なお、アイテム３４はメール送受信時に加減算されるポイントに伴って変化し、国際化ドメインのアップグレード或いはダウングレードがどれだけ発生しやすくなっているかを会員に報知している。このとき、図１０（ａ）に示すアイテム６４はポイント加算処理に伴って大きくなっており、ポイントが加算された結果、「結婚したい．ｊｐ」へとアップグレードすることとなる。また、図１０（ｂ）に示すアイテム６５はポイント減算処理によって小さくなっており、ポイントが減算された結果、「別れたい．ｊｐ」へとダウングレードすることとなる。このとき、国際化ドメインアップグレード処理及び国際化ドメインダウングレード処理は、ＨＴＴＰを通してデータベース１１ａに送信され、データベース１１ａにおいて記憶、処理される。なお、「結婚したい．ｊｐ」へとアップグレードした男女ペアの国際化ドメインがダウングレードした場合には、「離婚したい．ｊｐ」となる。
【００２７】
図１１はメンバー再登録画面であり、本実施例における国際化ドメインを利用した電子メールコミュニティは、本来ならば男女ペアでなければ会員登録を行うことはできないが、ポイントの減算処理によって「別れたい．ｊｐ」へとダウングレードし、そこからさらに男女ペアを解散してしまった場合には、男女ペアではない会員専用のドメイン（例えば「好き．ｊｐ」「願い事．ｊｐ」等）にダウングレードする。そして、新たに男女ペアとなる相手を見つけた場合には図１１に示すメンバー再登録画面から再度メンバー登録を行うことが可能である。メンバー再登録画面は図６（ａ）に示すメンバー登録画面と同様の要素で構成されているが、新たに登録する相手のみ入力欄が表示されており、新しい相手の情報のみを入力することで再登録することが可能である（図では彼氏の入力欄２１ａ，２１ｂ，２１ｃ，２１ｄに入力を行う。）。そして、画面下方右側の登録釦２３をクリックすることで、新たな国際化ドメインメールアドレスが発行され、「らぶらぶ．ｊｐ」ドメインを新規登録した状態と同様に登録される。
【００２８】
図１２は国際化ドメインを用いたメールアドレスサービスに付加するその他のサービスについて示している。図１２（ａ）はランキング画面７０であり、男女ペア同士がメールを送受信する度に加減算されるポイントをデータベースにて男女ペア夫々について集計し、「らぶらぶ．ｊｐ  ＴＯＰ１０」として最も多くのポイントを獲得している男女ペアから降順に表示している。図１２（ａ）のランキング画面７０では順位７１は１〜１０位まで表示され、夫々ベアのＩＤ７２が表示されている。会員がランキング画面７０を閲覧することによって、メールの送受信にポイントによる競争の要素を付加し、男女ペア間でのメールの送受信を促進する効果を発揮する。なお、ランキング画面において表示されるペアのＩＤ７２は、通常の国際化ドメインメールアドレスとは別体のランキング画面専用のメールアドレス（例えば図では「太郎＆花子＠らぶらぶ．ｊｐ」）が使用されている。
【００２９】
図１２（ｂ）は掲示板７３であり、会員であれば誰でも自由に書き込み、閲覧することが可能であり、過去の書き込み７５（図では「今からお食事にいきます。いいお店教えて下さい！」）の質問に、最新の書き込み７４（図では「駅前においしいお店ができたよ」）によって、回答が得られるといった情報交換の場として、また会員同士の交流の場として利用することが可能である。また、本実施例のサービスでは、会員は男性と女性とに区別して登録されているので、男性会員にしか閲覧、書き込みのできない掲示板や、女性会員にしか閲覧、書き込みのできない掲示板を設けることも可能であるため、会員の希望に応じた情報交換の場を設けることが可能となる効果を発揮する。
【００３０】
上述の実施形態ではインターネットと呼ばれる通信ネットワークを例に説明したが通信ネットワークは他のネットワークを使用してもよい。また、会員としては携帯電話及びパソコンに限らず、通信機能を有するコンピュータ、例えば、ワープロ、携帯用端末、電子手帳と呼ばれる情報処理機器を使用することができる。
【００３１】
【発明の効果】
国際化ドメインを利用し、日本語文字列のメールアドレスを提供することが可能なため、会員登録した男女ペアの名前を含むメールアドレスを提供することができ、覚えやすく、わかりやすいという効果を発揮する。
画面上では擬似的に国際化ドメインメールアドレスを使用し、ウェブサーバー１０内で処理を行うため、国際化ドメインメールアドレスを使用できない携帯電話２，４とパソコン３，５との間でも、国際化ドメインメールアドレスを使用したメールの送受信をしているように見せかけることができる効果を発揮する。なお、ＨＴＴＰを通してＷＥＢサイトを閲覧することが可能であれば携帯電話２，４とパソコン３，５に限定することなく、擬似的に国際化ドメインメールアドレスを使用したメールの送受信を行うことが可能である。そのため、国際化ドメインの普及が遅れる可能性のある携帯電話においても、すぐに国際化ドメインを利用したサービスを提供することが可能となる。
【図面の簡単な説明】
【図１】本実施形態のシステム構成を示したブロック図である。
【図２】本実施形態の国際化ドメインを利用した電子メールコミュニティーサイトの構成について示した図である。
【図３】本実施形態の会員登録処理について示したフローチャートである。
【図４】本実施形態のメール送受信処理について示したフローチャートである。
【図５】本実施形態の送受信ポイントチェック処理について示したフローチャートである。
【図６】本実施形態における会員登録画面（ａ）及びログイン画面（ｂ）について示した図である。
【図７】本実施形態におけるパソコンでのメール作成画面（ａ）及び携帯電話でのメール作成画面（ｂ）について示した図である。
【図８】本実施形態におけるパソコンでのメール受信画面（ａ）及び携帯電話でのメール受信画面（ｂ）について示した図である。
【図９】本実施形態におけるパソコンでのメール表示画面（ａ）及び携帯電話でのメール表示画面（ｂ）について示した図である。
【図１０】本実施形態におけるドメインアップグレード画面（ａ）及びドメインダウングレード画面（ｂ）について示した図である。
【図１１】本実施形態における会員再登録画面について示した図である。
【図１２】本実施形態におけるランキング画面（ａ）及び掲示板画面（ｂ）について示した図である。
【符号の説明】
１…通信装置    ２…男性の携帯電話    ３…男性のパソコン
４…女性の携帯電話    ５…女性のパソコン    ６…基地局
７…移動通信網    ８…ネットワーク    ９…ゲートウェイ装置
１０…ウェブサーバー    １１…記憶装置    １１ａ…データベース
２１ａ〜２１ｄ…彼氏の入力欄    ２２ａ〜２２ｄ…彼女の入力欄
２３…登録釦    ２４…ログイン釦    ２５…キャンセル釦
３１，３１ａ…宛名    ３２，３２ａ…件名入力欄
３３，３３ａ…送信先切替釦    ３４，３４ａ…アイテム（ハート型）
３５，３５ａ…メッセージ入力欄    ３６，３６ａ…送信釦
４０，４０ａ…日付一覧    ４１，４１ａ…差出人一覧
４２…件名一覧    ４３…新着メール通知    ４４…受信釦
４５…未読件数表示    ５０，５０ａ…メッセージ本文
５１…返信釦    ５２ａ…返信フォームへのＵＲＬ
６０…ドメインアップグレード通知
６１…ドメインダウングレード通知
６４…ポイント加算処理に伴って変化したアイテム
６５…ポイント減算処理に伴って変化したアイテム
７０…ランキング    ７１…順位    ７２…ペアのＩＤ
７３…掲示板    ７４…最新の書き込み
７５…過去の書き込み
【図１】
2004326202.tif 000003
【図２】
2004326202.tif 000004
【図３】
2004326202.tif 000005
【図４】
2004326202.tif 000006
【図５】
2004326202.tif 000007
【図６】
2004326202.tif 000008
【図７】
2004326202.tif 000009
【図８】
2004326202.tif 000010
【図９】
2004326202.tif 000011
【図１０】
2004326202.tif 000012
【図１１】
2004326202.tif 000013
【図１２】
2004326202.tif 000014